(57)【要約】【課題】本発明は、本発明は、安定した導通を確保することができるスイッチ構造を提供する。【解決手段】スイッチ構造１は、スイッチノブ２と、バルブ側と電源側とにそれぞれ接続された一対のバスバ４と、を備え、導通部２２は、バルブ側導通部２４と、電源側導通部２５と、を有して形成され、バスバ４は、バルブ側導通部２４に接続するバルブ側バスバ４１と、電源側導通部２５に接続する電源側バスバ４２と、を有して構成され、バルブ側導通部２４と電源側導通部２５には、それぞれ、バスバ４に向かって凸で、かつ、揺動方向Ｙと長手方向Ｘとに沿う三次元曲面状に形成されたバルブ側曲面部２４１と電源側曲面部２５１とが形成され、バルブ側曲面部２４１と電源側曲面部２５１とに沿って凹な曲面状かつバルブ側曲面部２４１と電源側曲面部２５１とに当接可能なバルブ側当接面部４１１と電源側当接面部４２１とが形成されている。【選択図】図４
2015026515.tif 000002
【特許請求の範囲】
【請求項１】
電源側及び機器側にそれぞれ接続された一対のバスバと、前記一対のバスバを導通させるＯＮ位置と導通を解除するＯＦＦ位置とに亘って揺動自在に設けられたスイッチノブと、を備え、
前記スイッチノブは、前記ＯＮ位置と前記ＯＦＦ位置とを切り替えるために押し込み操作される操作部と、前記操作部が操作される押込方向に沿って前記一対のバスバに対して押圧されるとともに、前記一対のバスバに当接することにより前記一対のバスバ間を導通可能な導通部と、を有して構成され、
前記導通部は、前記ＯＮ位置において、前記電源側に接続されたバスバに当接する第一導通部と、前記機器側に接続されたバスバに当接する第二導通部と、を有し、前記第一導通部及び前記第二導通部のうち少なくとも一方は、前記ＯＦＦ位置において前記バスバと離隔可能に構成され、
前記第一導通部及び前記第二導通部は、前記バスバに向かって凸な曲面状の曲面部を有して形成され、
前記バスバには、前記曲面部に沿った凹な曲面状かつ該曲面部に当接可能な当接面部が形成されていることを特徴とするスイッチ構造。
【請求項２】
前記曲面部及び前記当接面部は、前記スイッチノブが揺動する揺動方向と、該揺動方向を含む揺動面と直交する直交方向と、の二方向に沿う三次元曲面を有して形成されていることを特徴とする請求項１に記載のスイッチ構造。
【請求項３】
前記導通部は、前記操作部に対して前記押込方向に沿って進退自在、かつ、前記押込方向に向かう付勢状態で支持されていることを特徴とする請求項１又は２に記載のスイッチ構造。
【請求項４】
前記当接面部のうち、少なくとも一方には、前記導通部に向かって凸に形成された凸部が形成され、
前記曲面部は、前記ＯＮ位置と前記ＯＦＦ位置とが切り替えられる際に、前記凸部に当接しつつ該凸部を乗り越える節度山部とされていることを特徴とする請求項１〜３のいずれか１項に記載のスイッチ構造。
【発明の詳細な説明】
【技術分野】
【０００１】
本発明は、電源側と機器側とにそれぞれ接続された一対のバスバ間を導通させるＯＮ位置と導通を解除するＯＦＦ位置とを切り替えるスイッチ構造に関する。
【背景技術】
【０００２】
従来、車両には、室内照明灯等の電気機器が設けられており、例えば室内照明灯を点灯及び消灯するためのスイッチ構造が種々提案されている（例えば、特許文献１参照）。
【０００３】
特許文献１に記載の車両用室内照明灯は、スイッチノブと、スイッチノブを揺動自在に支持するスイッチレバーと、ハウジングと、を備えて構成され、スイッチレバーは、導電性のばねの一端に設けられた接点を有し、接点は、スイッチノブが操作されて揺動することにより、接点とバスバとが対向した際にハウジングに収容されたバスバと接触して導通させるようになっている。
【先行技術文献】
【特許文献】
【０００４】
【特許文献１】特開２００８−９１２１２号公報
【発明の概要】
【発明が解決しようとする課題】
【０００５】
しかしながら、特許文献１に記載の従来のスイッチ構造においては、接点とバスバとの当接部分の面積が小さいため、電気抵抗が高くなり、導通が不安定になりやすいという問題があった。
【０００６】
従って、本発明は、上記のような問題点に着目し、安定した導通を確保することができるスイッチ構造を提供することを目的とする。
【課題を解決するための手段】
【０００７】
上記課題を解決するために、本発明のスイッチ構造は、電源側及び機器側にそれぞれ接続された一対のバスバと、前記一対のバスバを導通させるＯＮ位置と導通を解除するＯＦＦ位置とに亘って揺動自在に設けられたスイッチノブと、を備え、前記スイッチノブは、前記ＯＮ位置と前記ＯＦＦ位置とを切り替えるために押し込み操作される操作部と、前記操作部が操作される押込方向に沿って前記一対のバスバに対して押圧されるとともに、前記一対のバスバに当接することにより前記一対のバスバ間を導通可能な導通部と、を有して構成され、前記導通部は、前記ＯＮ位置において、前記電源側に接続されたバスバに当接する第一導通部と、前記機器側に接続されたバスバに当接する第二導通部と、を有し、前記第一導通部及び前記第二導通部のうち少なくとも一方は、前記ＯＦＦ位置において前記バスバと離隔可能に構成され、前記第一導通部及び前記第二導通部は、前記バスバに向かって凸な曲面状の曲面部を有して形成され、前記バスバには、前記曲面部に沿った凹な曲面状かつ該曲面部に当接可能な当接面部が形成されていることを特徴とする。
【０００８】
本発明によれば、第一導通部及び第二導通部のうち少なくとも一方には、バスバに向かって凸な曲面部が形成されており、バスバには曲面部に沿って凹な曲面状かつ曲面部に当接可能な当接面部が形成されていることから、ＯＮ位置において、曲面部と当接面部とが当接する面積を大きくすることができ、電気抵抗が小さくなり、導通の安定性を確保することができる。
【０００９】
また、請求項１に記載のスイッチ構造において、前記曲面部及び前記当接面部は、前記スイッチノブが揺動する揺動方向と、該揺動方向を含む揺動面と直交する直交方向と、の二方向に沿う三次元曲面を有して形成されていることが好ましい。
【００１０】
このような構成によれば、ＯＮ位置において、曲面部全体を当接面部に当接させることができ、曲面部と当接面部とが当接する面の面積をより大きくすることができることから、電気抵抗が小さくなり、導通をより安定させることができる。
【００１１】
また、請求項１又は２に記載のスイッチ構造において、前記導通部は、前記操作部に対して前記押込方向に沿って進退自在、かつ、前記押込方向に向かう付勢状態で支持されていることが好ましい。
【００１２】
このような構成によれば、導通部は、押込方向に向かって進退自在、かつ、付勢状態で支持されていることから、曲面部と当接面部とをより確実に当接させることができ、導通をより一層安定させることができる。
【００１３】
また、請求項３に記載のスイッチ構造において、前記当接面部のうち、少なくとも一方には、前記導通部に向かって凸に形成された凸部が形成され、前記曲面部は、前記ＯＮ位置と前記ＯＦＦ位置とが切り替えられる際に、前記凸部に当接しつつ該凸部を乗り越える節度山部とされていることが好ましい。
【００１４】
このような構成によれば、導通部に向かって凸に形成された凸部が設けられ、導通部の曲面部は、ＯＮ位置とＯＦＦ位置とが切り替えられる際に凸部に当接しつつ凸部を乗り越える節度山部とされていることから、操作部が操作される際に、節度山部が凸部に当接しつつ乗り越えることで節度感を得ることができ、操作性を向上させることができる。
【発明の効果】
【００１５】
以上のような本発明のスイッチ構造によれば、導通部にはバスバに向かって凸な曲面状の曲面部が形成されており、バスバには曲面部に沿う形状に形成され、曲面部と当接可能な当接面部が形成されていることから、ＯＮ位置において、曲面部と当接面部とが当接する面積が大きくなり、電気抵抗が小さくなることから、導通の安定性を確保することができる。
【図面の簡単な説明】
【００１６】
【図１】本発明の一実施形態に係るスイッチ構造を示す分解斜視図である。
【図２】前記スイッチ構造を示す斜視図であり、（ａ）は点灯状態を示す図であり、（ｂ）は消灯状態を示す図である。
【図３】前記スイッチ構造を示す図２の矢視ＩＩＩ−ＩＩＩ線断面図である。
【図４】前記スイッチ構造におけるスイッチノブとバスバとを示す斜視図であり、（ａ）は点灯状態を示す図であり、（ｂ）は消灯状態を示す図である。
【図５】前記スイッチノブと前記バスバとを示す断面図であり、（ａ）は図２（ａ）における矢視Ｖａ−Ｖａ線断面の部分拡大図であり、（ｂ）は図２（ｂ）における矢視Ｖｂ−Ｖｂ線断面の部分拡大図である。
【図６】前記スイッチノブと前記バスバとのＯＮ位置における当接状態を示す斜視図であり、（ａ）は図２（ａ）のＶＩａ−ＶＩａ線断面を示す図であり、（ｂ）は図２（ａ）のＶＩｂ−ＶＩｂ線断面を示す図である。
【発明を実施するための形態】
【００１７】
以下、本発明の実施形態を図１〜６を参照して説明する。本実施形態のスイッチ構造１は、例えば、車両の室内照明灯において、電源側コネクタＣと接続されるハウジングＨに組み付けられたバルブＶの点灯状態と消灯状態とを切り替えるスイッチ構造として用いられる。図１に示すように、スイッチ構造１は、スイッチノブ２と、バルブＶの光を車内に透過するレンズ３と、バルブ側と電源側とにそれぞれ接続された一対のバスバ４と、を備えて構成されている。また、本実施形態において、一対のバスバ４が導通されるときのスイッチノブ２の位置をＯＮ位置とし、一対のバスバ４の導通が解除されるときのスイッチノブ２の位置をＯＦＦ位置とする。スイッチノブ２がＯＮ位置に移動すると、バルブＶは点灯状態となり、スイッチノブ２がＯＦＦ位置に移動すると、バルブＶは消灯状態となる。なお、本実施形態において、図１に示すように、バスバ４の長手方向を長手方向Ｘとし、矢印Ｘで示す。また、スイッチノブの揺動方向を揺動方向Ｙとし、矢印Ｙで示す。揺動方向Ｙにおいて、図１の奥側を一方側とし、図１の手前側を他方側とする。また、スイッチノブ２が押し込み操作される方向を押込方向Ｚとし、矢印Ｚで示す。矢印Ｚにおける上下は、図１を基準とする。
【００１８】
スイッチノブ２は、ＯＮ位置とＯＦＦ位置とを切り替えるために押し込み操作される操作部２１と、押込方向Ｚに沿ってバスバ４に押圧されるとともに、一対のバスバ４に当接可能に設けられた導通部２２と、導通部２２を操作部２１に対して押込方向Ｚに沿って進退自在、かつ、押込方向Ｚに向かう付勢状態で支持するばね２３と、を有して構成されている。
【００１９】
操作部２１は、押し込み操作される操作面部２１１と、後述する揺動軸３２が挿通される軸受穴２１２と、導通部２２に係止する係止爪２１３と、ばね２３の収縮方向が押込方向Ｚとなるようにばね２３を支持するばね支持部２１４と、を有して形成されている。
【００２０】
導通部２２は、後述するバルブ側バスバ４１と接続するバルブ側導通部２４と、後述する電源側バスバ４２と接続する電源側導通部２５と、バルブ側導通部２４及び電源側導通部２５のＺ方向上側に設けられて操作部２１の係止爪２１３が係止される係止部２６と、を有して形成され、バルブ側導通部２４と電源側導通部２５とは長手方向Ｘに沿って並んで設けられている。
【００２１】
バルブ側導通部２４には、バスバ４に向かって凸で、かつ、揺動方向Ｙと長手方向Ｘとに沿う三次元曲面状に形成されたバルブ側曲面部２４１が形成され、電源側導通部２５には、バスバ４に向かって凸で、かつ、揺動方向Ｙと長手方向Ｘとに沿う三次元曲面状に形成された電源側曲面部２５１が形成されている。スイッチノブ２のＯＮ位置において、バルブ側曲面部２４１は、バルブ側バスバ４１に当接し、電源側曲面部２５１は、電源側バスバ４２に当接する。また、電源側曲面部２５１は、揺動方向Ｙの一方側寄りに設けられ、スイッチノブ２のＯＦＦ位置において電源側バスバ４２と離隔される。また、バルブ側曲面部２４１は、スイッチノブ２のＯＮ位置とＯＦＦ位置とが切り替えられる際に後述するバルブ側バスバ４１に設けられた凸部４１２ａに当接しつつ凸部４１２ａを乗り越える節度山部である。
【００２２】
レンズ３は、光を透過する樹脂素材等を用いて形成され、Ｚ方向上側から下側に亘って開口するとともに、スイッチノブ２の操作部２１が組み付けられる組付部３１と、組付部３１内に設けられて操作部２１を支持する揺動軸３２と、を有して構成されている。
【００２３】
バスバ４は、バルブ側導通部２４に接続するバルブ側バスバ４１と、電源側導通部２５に接続する電源側バスバ４２と、を有して構成されている。バルブ側バスバ４１には、バルブ側曲面部２４１に沿って凹な曲面状かつバルブ側曲面部２４１に当接可能なバルブ側当接面部４１１が形成され、電源側バスバ４２には、電源側曲面部２５１に沿って凹な曲面状かつ電源側曲面部２５１に当接可能な電源側当接面部４２１が形成されている。バルブ側当接面部４１１は、押込方向Ｚ上側に向かって凸に形成され、揺動方向Ｙに沿って一方側から並んで二つ設けられた凸部４１２ａ，４１２ｂと、二つの凸部４１２ａ，４１２ｂの間に直交方向Ｘに沿って凹に形成された凹部４１３と、を有して形成されている。
【００２４】
次に、組み付け方法の一例について、図１〜３を参照して説明する。まず、スイッチノブ２の操作部２１のばね支持部２１４にばね２３を挿通させ、操作部２１の係止爪２１３と導通部２２の係止部２６とを係止させる。続いて、レンズ３の組付部３１に導通部２２が係止されたスイッチノブ２を挿通させ、揺動軸３２を操作部２１の軸受穴２１２に嵌合させる。以上により、スイッチノブ２は揺動自在に支持される。次に、ハウジングＨのバルブ側端部からバスバ４を組み付け、続いてバルブＶを組み付ける。このようなハウジングＨをスイッチノブ２が組み付けられたレンズ３に嵌合し、図２のように組み付けが完了する。
【００２５】
次に、スイッチノブ２のＯＮ位置及びＯＦＦ位置におけるスイッチノブ２及びバスバ４の状態について、図４〜６を参照して説明する。ＯＮ位置においては、図４（ａ），図５（ａ），図６に示すように、導通部２２が揺動方向Ｙの他方側に揺動して、バルブ側曲面部２４１がバルブ側当接面部４１１の凹部４１３と長手方向Ｘ及び揺動方向Ｙに沿って当接し、電源側曲面部２５１が電源側当接面部４２１と当接することにより、バルブ側バスバ４１と電源側バスバ４２とが導通される。ＯＦＦ位置においては、図４（ｂ），図５（ｂ）に示すように、導通部２２が揺動方向Ｙの一方側に揺動し、バルブ側曲面部２４１がバルブ側当接面部４１１の凹部４１３に当接し、電源側曲面部２５１が電源側バスバ４２と離隔されることにより、バルブ側バスバ４１と電源側バスバ４２との導通が解除される。
【００２６】
次に、スイッチノブ２がＯＮ位置からＯＦＦ位置に切り替えられる際のスイッチノブ２及びバスバ４の状態について、図４を参照して説明する。スイッチノブ２が図４（ａ）に示すＯＮ位置から図４（ｂ）に示すＯＦＦ位置に切り替えられる際には、操作面部２１１の揺動方向Ｙの他方側が押込操作され、スイッチノブ２の操作部２１が揺動方向Ｙの一方側に揺動し、操作部２１の揺動に伴って導通部２２が揺動方向Ｙの一方側に揺動する。ＯＦＦ位置からＯＮ位置に切り替えられる際には、操作面部２１１の揺動方向Ｙの一方側が押込操作され、操作部２１が揺動方向Ｙの他方側に揺動し、操作部２１の揺動に伴って導通部２２が揺動方向Ｙの他方側に揺動する。ＯＮ位置とＯＦＦ位置とが切り替えられる途中において、バルブ側導通部２４のバルブ側曲面部２４１がバルブ側バスバ４１の揺動方向Ｙの一方側に設けられた凸部４１２ａに当接しつつ乗り越える際に、導通部２２を付勢するばね２３が収縮して導通部２２が操作部２１側に移動し、乗り越えた後にばね２３の収縮が戻り、導通部２２が操作部２１側からバスバ４側に移動する。
【００２７】
以上のような本実施形態によれば、バルブ側導通部２４には、バスバ４に向かって凸なバルブ側曲面部２４１が形成され、電源側導通部２５には、バスバ４に向かって凸な電源側曲面部２５１が形成され、バスバ４には、バルブ側曲面部２４１に沿って凹な曲面状かつバルブ側曲面部２４１に当接可能なバルブ側当接面部４１１が形成され、電源側曲面部２５１に沿って凹な曲面状かつ電源側曲面部２５１に当接可能な電源側当接面部４２１が形成されていることから、ＯＮ位置において導通部２２とバスバ４とが当接する面積を大きくすることができ、電気抵抗が小さくなることから、導通の安定性を確保することができる。
【００２８】
また、バルブ側曲面部２４１と電源側曲面部２５１とがバスバ４に向かって凸で、かつ、揺動方向Ｙと長手方向Ｘとに沿う三次元曲面状に形成されていることから、ＯＮ位置において、バルブ側導通部２４と電源側導通部とを長手方向Ｘ及び揺動方向Ｙに沿ってバルブ側曲面部２４１と電源側曲面部２５１とに当接させて、導通部２２とバスバ４とが当接する面積をより大きくすることができ、電気抵抗がより小さくなることから、導通をより安定させることができる。
【００２９】
また、導通部２２は、ばね２３により押込方向Ｚに向かって進退自在、かつ、付勢状態で支持されていることから、バルブ側曲面部２４１とバルブ側当接面部４１１、電源側曲面部２５１と電源側当接面部４２１をそれぞれより確実に当接させることができ、導通をより一層安定させることができる。
【００３０】
また、バルブ側当接面部４１１には、凸部４１２ａが形成され、バルブ側曲面部２４１は、スイッチノブ２のＯＮ位置とＯＦＦ位置とが切り替えられる際に、凸部４１２ａに当接しつつ凸部４１２ａを乗り越える節度山部であることから、操作部が操作されてＯＮ位置とＯＦＦ位置とが切り替えられる際に節度感を得ることができ、操作性を向上させることができる。
【００３１】
なお、本発明は、前記実施形態に限定されるものではなく、本発明の目的が達成できる他の構成等を含み、以下に示すような変形等も本発明に含まれる。
【００３２】
例えば、前記実施形態においては、スイッチ構造１は、車両の室内照明灯に用いられていたが、他の電気機器のＯＮ状態とＯＦＦ状態とを切り替えるスイッチ構造に用いてもよい。
【００３３】
また、バルブ側バスバ４１のバルブ側当接面部４１１には、凹部４１３が形成されていたが、少なくともバルブ側曲面部２４１に沿って凹な曲面状に形成されていればよく、電源側当接面部４２１と同様の形状に形成されていてもよい。また、スイッチノブのＯＦＦ位置において、バルブ側導通部２４及び電源側導通部２５のうち少なくとも一方がバスバ４と離隔可能に設けられていれば、電源側曲面部２５１に凹部が形成されていてもよい。
【００３４】
また、導通部２２がばね２３により付勢されていたが、バスバ４がばねにより導通部２２側に付勢されていてもよい。また、ばね以外の付勢手段により付勢されていてもよい。
【００３５】
また、バルブ側バスバ４１には、凸部４１２ａが形成されていたが、スイッチノブのＯＦＦ位置において、バルブ側導通部２４及び電源側導通部２５の少なくとも一方がバスバ４と離隔可能に設けられていれば、電源側バスバ４２に凸部が形成されていてもよく、バルブ側バスバ４１及び電源側バスバ４２の両方に凸部が形成されていてもよい。
【００３６】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び目的の範囲から逸脱することなく、以上述べた実施形態に対し、形状、材質、数量、その他の詳細な構成において、当業者が様々な変形を加えることができるものである。
【００３７】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３８】
１        スイッチ構造
２        スイッチノブ
３        レンズ
４        バスバ
２１      操作部
２２      導通部
２４      バルブ側導通部（第二導通部）
２５      電源側導通部（第一導通部）
４１      バルブ側バスバ
４２      電源側バスバ
２４１    バルブ側曲面部（曲面部）
２５１    電源側曲面部（曲面部）
４１１    バルブ側当接面部（当接面部）
４２１    電源側当接面部（当接面部）
４１２ａ  凸部
【図１】
2015026515.tif 000003
【図２】
2015026515.tif 000004
【図３】
2015026515.tif 000005
【図４】
2015026515.tif 000006
【図５】
2015026515.tif 000007
【図６】
2015026515.tif 000008